(57)【要約】      （修正有）【課題】  取付作業性がよく、長期にわたり取付後のクリップの保持性能に優れたクリップおよびクリップ取付体の構造の提供。【解決手段】挟着片２と挟着片支持部４からなるクリップ１と、挟着用軸体５と軸体支持部６からなるクリップ取付体９からなり、クリップ１の挟着片２の基部とクリップ゜１の挟着片支持部４の後端を結ぶ方向に延びる挟着片支持部の中心線Ｌ４が、挟着片の開口部２ａの開口中心点P２ａと挟着片２を挟着した状態で挟着用軸体５の中心となる挟着片の中心点P２を結ぶ方向に対して傾斜し、クリップ取付体９の挟着用軸体５にはクリップ１の挟着片２に設けられた溝部１１に係合し挟着されるように挟着用軸体５の外周胴部に突出するよう形成された突状プレート部１０を設けられ、挟着片の溝部の内方側端面１１ａ１，１１ａ２と突状プレート部の内方側端面１０ａ１，１０ａ２がクリップ１の回転方向で対向するように設けることを特徴とする。【選択図】      図１
2006070952.tif 000002
【特許請求の範囲】
【請求項１】
クリップとクリップ取付体から構成され、挟着片と挟着片支持部からなるクリップと、挟着用軸体と軸体支持部からなるクリップ取付体からなり、クリップに設けられている挟着片は先端に開口部を有し、挟着片支持部は先端が挟着片の基部に設けられ且つ他端が一方の部材に一体に形成、あるいは接合可能に挟着片が設けられており、クリップ取付体には挟着用軸体がクリップの挟着片を挟着可能とするよう形成され、挟着用軸体を支持し挟着用軸体の外周胴部を中空に浮かせるように軸体支持部が設けられており、このクリップとクリップ取付体がクリップの挟着片の先端の開口部をクリップ取付体の挟着用軸体に押圧して挟着用軸体を挟着片に挟着し保持するように構成されている、クリップ支持固定構造において、
クリップの挟着片の基部とクリップ゜の挟着片支持部の後端を結ぶ方向に延びる挟着片支持部の中心線が、挟着片の開口部の開口中心点と挟着片を挟着した状態で挟着用軸体の中心となる挟着片の中心点を結ぶ方向に対して傾斜し、且つ、挟着片の中心点を通らないように挟着片支持部を設け、
挟着片の先端より内方に延びる溝部がクリップの挟着片に設けられており、クリップ取付体の挟着用軸体にはクリップの挟着片に設けられた溝部に係合し挟着されるように挟着用軸体の外周胴部に突出するよう形成された突状プレート部を設けられ、挟着片の溝部の内方側端面と突状プレート部の内方側端面がクリップの回転方向で対向するように設けられていることを特徴とするクリップおよびクリップ取付体の構造。
【請求項２】
請求項１の特徴を有するクリップおよびクリップ取付体の構造において、クリップの挟着片の挟着片支持部基部から、クリップの挟着片の開口部を有する先端の方向に向って９０°以内に、溝部の内方側端面が形成されるように溝部が挟着片に設けられているクリップおよびクリップ取付体の構造。
【発明の詳細な説明】
【技術分野】
【０００１】
本発明は、クリップの保持構造に関し、特に２つの構造物を互いに拘束するために用いられるクリップの保持構造に関するものである。
【背景技術】
【０００２】
従来のクリップの保持構造としては、円管または円柱形状の部材をクリップの挟着片に挟着するもの（例えば、特許文献１  参照）や、また、一方の部材であるバンパーを他方の部材であるボディに取付け固定するために使用するクリップの構造として、クリップの挟着片に挟着する紡錘形状または円柱形状の挟着用軸体とその挟着用軸体の中央部を支持し、取付固定先である部材に形成された軸体支持部からなり、クリップの挟着片開口部を挟着用軸体に押圧して挟着するものであった（例えば、特許文献２  参照）。
さらに、従来構造としては図６〜図７に示すような構造のものもあった。これは、クリップ１０１とクリップ取付体１０９から構成され、他方の挟着片１０２と挟着片支持部１０４からなるクリップ１０１と、他方の部材１０８に設けられた挟着用軸体１０５と軸体支持部１０６からなるクリップ取付体１０９からなり、クリップ１０１に設けられている他方の挟着片１０２は先端に他方の挟着片の開口部１０２ａを有し、挟着片支持部１０４は先端が他方の挟着片１０２の基部に設けられ且つ他端が一方の部材である円柱状部材１０７を挟着により接合可能なように一方の挟着片１０３が設けられており、クリップ取付体１０９には挟着用軸体１０５がクリップ１０１の他方の挟着片１０２を挟着可能とするよう形成され、挟着用軸体１０５を支持し挟着用軸体１０５の外周胴部を中空に浮かせるように軸体支持部１０４が設けられており、このクリップ１０１とクリップ取付体１０９がクリップ１の他方の挟着片１０２の先端の他方の挟着片の開口部１０２ａをクリップ取付体１０９の挟着用軸体１０５に押圧して挟着用軸体１０５を他方の挟着片１０２に挟着し保持するように構成されている、クリップ支持固定構造である。
クリップ取付体１０９は、軸体支持部１０６で挟着用軸体１０５の両端で支えるように設けられており、クリップ１０１を取付けた状態で、他方の挟着片１０２が挟着用軸体１０５上を軸方向に移動しないように軸体支持部１０６を挟着片軸体１０５よりも拡径に構成している。また、これによって、この軸体支持部１０６はクリップ１０１が挟着用軸体１０５の軸方向に倒れてクリップ１０１が外れ、脱落することを防止する構造にもなっている。
【特許文献１】実開昭６１−１５２８０９号公報（実施例、図面）
【特許文献２】実開平６−４７７１７号公報（実施例、図面）
【発明の開示】
【発明が解決しようとする課題】
【０００３】
しかし、このような構造では図８に示すように、一方の挟着片１０３が挟着している円柱状部材１０７が他方の挟着片１０２の基部と一方の挟着片１０３の基部を連結している挟着片支持部１０４の中心線Ｌ１０４方向に移動する外力Ｆ１を受けると、他方の挟着片１０２の先端に設けられた他方の挟着片の開口部１０２ａが容易に開き、外れてしまうといった問題があった。これは、図９（ａ）に示すような応力が他方の挟着片１０２に生じるためである。外力Ｆ１により他方の挟着片２に発生する応力は、他方の挟着片１０２の先端部に位置する作用点Ｃ１，C２に生じる。この作用点Ｃ１に生じる応力Ｆｃ１により、作用点において半径方向の応力として挟着用軸体１０５からの反力Ｆｃ1rとそれに垂直な方向の応力Ｆｃ１ｓが生じることとなる（作用点Ｃ２にもＦｃ２，Fｃ２ｒ，Fｃ２ｓも同様に生じる、）。従って、作用点には、挟着用軸体１０５の周面に沿って他方の挟着片の開口部１０２ａを開口する方向および挟着片支持部１０４の中心線Ｌ１０４方向へ変位が生じることとなり、挟着用軸体１０５の直径まで開口すると他方の挟着片１０２が外れ、脱落することとなる。図９（ｂ）に示すように、他方の挟着片の開口部１０２ａのクリップ取付状態で挟着用軸体１０５の中心となる他方の挟着片の中心点P１０２となす開口角度θ１０２を図９（ａ）の開口角度θ１０１よりも大きくする（θ１０２＞θ１０１）と、他方の挟着片１０２が外れ、脱落が生じるまでに作用点が変位する量がＤａからＤｂへ小さくなるため、より脱落が生じ易いものとなる。このため、この他方の挟着片の開口部１０２ａの開口角度θ１０１，θ１０２を小さくすることによって、脱落防止をはかることも行なわれているが、逆に他方の挟着片１０２の取付けの際の押圧力が大きくなってしまい、取付け作業性を悪化させてしまうという問題がある。
別の構造としては、図１０乃至図１２に示すようなクリップ１０１が考えられている。これは、他方の挟着片１０２と挟着片支持部１０４の構造として、他方の挟着片１０２の基部と一方の部材を挟着するための一方の挟着片１０３を有する挟着片支持部１０４の後端とを結ぶ方向に延びる挟着片支持部の中心線Ｌ１０４が、他方の挟着片の開口部１０２ａの開口中心点Ｐ１０２ａと他方の挟着片１０２を挟着した状態で挟着用軸体１０５の中心となる他方の挟着片１０２の中心点P１０２を結ぶ線Ｌ１０２に対して傾斜（θ１）し、且つ、他方の挟着片１０２の中心点P１０２を通らないように設けた構造としたものである。このような構造とした場合には、図１２に示すように、他方の挟着片１０２と一方の挟着片１０３を連結している挟着片支持部の中心線Ｌ１０４方向に移動する外力Ｆ１を受けると、他方の挟着片１０２の作用点Ｐｃ３に応力Ｆｐｃ３が生じ、この応力によって、半径方向の応力として挟着用軸体１０５からの反力Ｆｐｃ３rとそれに垂直な方向の応力として挟着用軸体１０５からの反力Ｆｐｃ３ｓが生じることとなり、このうち半径方向に垂直な方向に生じる応力Ｆｐｃ３ｓが、他方の挟着片の開口部１０２ａを閉じる方向に生じることとなるので、他方の挟着片１０２が挟着用軸体１０５から外れにくいものとすることができる。
しかしながら、この構造は、挟着片支持部１０４を有する挟着片１０２の基部から上側挟着片１０２ｂと下側挟着片１０２ｃの先端までの長さが異なるので、図１３に示すような回転方向への外力Ｆ２が加わると作用点Ｐｃ３が挟着片支持部の中心線Ｌ１０４の方向および挟着用軸体１０５の周面方向へ変位した位置Ｐｃ３１へ移動することになり、他方の挟着片１０２の基部から他方の挟着片１０２の先端までの長さが長く剛性の低い上側挟着片１０２ｂが変位し易く、他方の挟着片の開口部１０２ａの開口量がＤｐｃ３からＤｐｃ３１へ大きくなるため、回転方向に働く外力Ｆ２に対して、他方の挟着片１０２が、外れやすく、脱落し易いという問題が生じる。これに対して、他方の挟着片１０２の基部から他方の挟着片１０２の先端までの長さの長い上側挟着片１０２ｂを肉厚にするなどして剛性を上げ、他方の挟着片の開口部１０２ａが開きにくくして、脱落しにくくすることもなされているが、取付け時に大きな押圧力を要するなど取付作業性を損なう問題をさせることとなる。
【０００４】
このような問題を解決せんがために本発明は為されたものであり、取付作業性がよく、引張り方向の外力および回転方向の外力によるクリップの外れ、脱落が生じにくく、長期にわたり取付後のクリップの保持性能に優れたクリップおよびクリップ取付体の構造を提供することを目的とするものである。
【課題を解決するための手段】
【０００５】
本発明は、上記の課題を解決するためのものとして、請求項１に係る発明は、クリップとクリップ取付体から構成され、挟着片と挟着片支持部からなるクリップと、挟着用軸体と軸体支持部からなるクリップ取付体からなり、クリップに設けられている挟着片は先端に開口部を有し、挟着片支持部は先端が挟着片の基部に設けられ且つ他端が一方の部材に一体に形成、あるいは接合可能に挟着片が設けられており、クリップ取付体には挟着用軸体がクリップの挟着片を挟着可能とするよう形成され、挟着用軸体を支持し挟着用軸体の外周胴部を中空に浮かせるように軸体支持部が設けられており、このクリップとクリップ取付体がクリップの挟着片の先端の開口部をクリップ取付体の挟着用軸体に押圧して挟着用軸体を挟着片に挟着し保持するように構成されている、クリップ支持固定構造において、
クリップの挟着片の基部とクリップ゜の挟着片支持部の後端を結ぶ方向に延びる挟着片支持部の中心線が、挟着片の開口部の開口中心点と挟着片を挟着した状態で挟着用軸体の中心となる挟着片の中心点を結ぶ方向に対して傾斜し、且つ、挟着片の中心点を通らないように挟着片支持部を設け、
挟着片の先端より内方に延びる溝部がクリップの挟着片に設けられており、クリップ取付体の挟着用軸体にはクリップの挟着片に設けられた溝部に係合し挟着されるように挟着用軸体の外周胴部に突出するよう形成された突状プレート部を設けられ、挟着片の溝部の内方側端面と突状プレート部の内方側端面がクリップの回転方向で対向するように設けられていることを特徴とするクリップおよびクリップ取付体の構造を提供する。
【０００６】
請求項２に係る発明は、請求項１の特徴を有するクリップおよびクリップ取付体の構造において、クリップ挟着片の挟着片支持部基部から、クリップの挟着片の開口部を有する先端の方向に向って広がる方向範囲内、すなわち、９０°以内に、溝部の内方側端面が形成されるように溝部が挟着片に設けられているクリップおよびクリップ取付体の構造を提供する。
【発明の効果】
【０００７】
請求項１のクリップおよびクリップ取付体の構造においては、挟着片の基部と挟着片支持部の後端を結ぶ方向に延びる挟着片支持部の中心線が、挟着片の開口部の開口中心点と挟着片を挟着した状態で挟着用軸体の中心となる挟着片の中心点を結ぶ方向に対して傾斜し、且つ、挟着片の中心点を通らないように挟着片支持部を設けたので、引張り方向の外力によるクリップの外れに対する抑止効果があり、さらに、挟着片の先端より内方に延びる溝部がクリップの挟着片に設けられており、クリップ取付体の挟着用軸体にはクリップの挟着片に設けられた溝部に係合し挟着されるように挟着用軸体の外周胴部に突出するよう形成された突状プレート部を設けられ、挟着片の溝部の内方側端面と突状プレート部の内方側端面がクリップの回転方向で対向するように設けたので、回転方向の外力によるクリップの外れに対する抑止効果を有するものとなる。したがって、取付作業性がよく、引張り方向の外力および回転方向の外力によるクリップの外れ、脱落が生じにくく、長期にわたり取付後のクリップの保持性能に優れたクリップおよびクリップ取付体の構造となる。
【０００８】
請求項２のクリップおよびクリップ取付体の構造においては、請求項１のクリップおよびクリップ取付体の構造において、クリップ挟着片の挟着片支持部基部から、クリップの挟着片の開口部を有する先端の方向に向って広がる方向範囲内、すなわち、９０°以内に、溝部の内方側端面が形成されるように溝部が挟着片に設けたので、挟着片の溝部の内方側端面と突状プレートの内方側端面が回転方向の外力によって接触した際に、挟着片の開口部を広げようとする応力をなくし、むしろ挟着片の開口部を狭めようとする応力が生じるようになる。したがって、請求項１と同様な効果が得られるとともに、更に一層、回転方向の外力によるクリップの外れ、脱落が生じにくく、長期にわたり取付後のクリップの保持性能に優れたクリップおよびクリップ取付体の構造となる。
【発明を実施するための最良の形態】
【０００９】
本発明によるクリップの保持構造の最良の形態として、２つの構造物を互いに拘束するために用いられるクリップの保持構造の一例として、２つの挟着片を有するクリップを用い、他方の部材である固定された部材に一方の部材である円柱状部材を取付け固定する場合のクリップおよびクリップ取付体の構造を例にとって、以下、図面に基づいて説明する。なお、本実施例では、２つの挟着片を有するクリップについて、一例として説明するが、本発明によるクリップおよびクリップ取付体の構造としては、これに限るものではなく、２つの部材の固定、保持に用いられるクリップおよびクリップ取付体の構造全般に適用可能なものである。
【実施例１】
【００１０】
図１乃至図５は、本発明の請求項１および請求項２に係るクリップの保持構造の一実施形態を例示したものであり、図１は側面図、図２は、下面図、図３は、クリップ取付部の側方からの斜視図、図４は、クリップ取付状態でのクリップ取付部の上方からの斜視図、図５は、回転方向の外力が加わった時の側面図である。
【００１１】
図１乃至図４に示したように、本発明の一実施例のクリップおよびクリップ取付体の構造は、
クリップ１とクリップ取付体９から構成され、他方の挟着片２と挟着片支持部４からなるクリップ１と、他方の部材８に設けられ挟着用軸体５と軸体支持部６からなるクリップ取付体９からなり、クリップ１に設けられている他方の挟着片２は先端に他方の挟着片の開口部２ａを有し、挟着片支持部６は先端が他方の挟着片２の基部に設けられ且つ他端が一方の部材である円柱状部材７を挟着によって接合可能に一方の挟着片３が設けられており、クリップ取付体９には挟着用軸体５がクリップ１の他方の挟着片２を挟着可能とするよう形成され、挟着用軸体５を支持し挟着用軸体５の外周胴部を中空に浮かせるように軸体支持部６が設けられており、このクリップ１とクリップ取付体９がクリップ１の他方の挟着片２の先端の他方の挟着片の開口部２ａをクリップ取付体９の挟着用軸体５に押圧して挟着用軸体５を他方の挟着片２に挟着し保持するように構成されているクリップ支持固定構造において、この他方の挟着片２の基部と挟着片支持部４の後端を結ぶ方向に延びる挟着片支持部の中心線Ｌ４が、他方の挟着片の開口部２ａの開口中心点Ｐ２ａと他方の挟着片を挟着した状態で挟着用軸体５の中心となる他方の挟着片の中心点Ｐ２を結ぶ直線Ｌ２に対して傾斜（θ１）し、且つ、他方の挟着片の中心点Ｐ２を通らないように、挟着片支持部４を設けた構造であり、さらに、他方の挟着片２の先端より内方に延びる溝部１１がクリップ１の他方の挟着片２に設けられており、クリップ取付体９の挟着用軸体５にはクリップ１の他方の挟着片２に設けられた溝部１１に係合し挟着されるように挟着用軸体５の外周胴部に突出するよう形成された突状プレート部１０を設けられ、他方の挟着片の上側溝部の内方側端面１１ａ１、他方の挟着片の下側溝部の内方側端面１１ａ２と上側突状プレート部の内方側端面１０ａ１、下側突状プレート部の内方側端面１０ａ２がそれぞれクリップ１の回転方向で対向するように、適度な間隔をもって設けられたものである。
なお、ここでは以下、挟着片支持部４の後端が一方の部材である円柱状部材７を挟着によって接合可能なように一方の挟着片３が設けられた構造について述べるが、挟着片支持部４の後端が一方の部材である円筒状部材７と一体に設けられた構造のものであっても良い。また、挟着用軸体５についても、ここでは以下、その形状が円柱状の軸体であるものについて述べるが、これに限らずパイプ状の中空な軸体であっても良い。
【００１２】
特に、他方の挟着片の溝部１１は、挟着片支持部４を有する他方の挟着片２の基部から他方の挟着片２が他方の挟着片の開口部２ａを有する先端の方向に向って広がる位置へ、他方の挟着片の上側溝部の内方側端面１１ａ１および他方の挟着片の下側溝部の内方側端面１１ａ２を設けた形態、すなわち、他方の挟着片の上側溝部の内方側端面１１ａ１および他方の挟着片の下側溝部の内方側端面１１ａ２は、図１に示すように、挟着片支持部の中心線Ｌ４が他方の挟着片２の内周面と交差する点ＰL４と他方の挟着片の中心点Ｐ２を結ぶ直線Ｌ２に対して、挟着片支持部４側からの角度θａ，θｂが９０°より小さくなる位置に設けた形態となっている。
【００１３】
このような構造としたので、図５に示すように、回転方向の外力Ｆ２に対して、他方の挟着片の上側溝部の内方側端面１１ａ１、他方の挟着片の下側溝部の内方側端面１１ａ２と上側突状プレート部の内方側端面１０ａ１、下側突状プレート部の内方側端面１０ａ２がそれぞれ、所望の余裕間隔分だけ回転した位置で接触し、そこで回転方向への変位が抑止され他方の挟着片の開口部２ａを広げようとする応力の発生が抑制される。また、特に、他方の挟着片の上側溝部の内方側端面１１ａ１および他方の挟着片の下側溝部の内方側端面１１ａ２を、挟着片支持部の中心線Ｌ４が他方の挟着片２の内周面と交差する点ＰＬ４と他方の挟着片の中心点Ｐ２を結ぶ直線Ｌ２４に対して、挟着片支持部４側からの角度θａ，θｂが９０°より小さくなる位置に設けているので、他方の挟着片の上側溝部の内方側端面１１ａ１および他方の挟着片の下側溝部の内方側端面１１ａ２に生じる応力が他方の挟着片２の内周面と交差する点ＰＬ４と他方の挟着片の中心点Ｐ２を結ぶ直線Ｌ２４側の方向となるので、他方の挟着片の開口部２ａを狭めるように働き、より一層、回転方向の外力に対して、他方の挟着片２の外れ、脱落が生じにくいものとなっている。
【００１４】
また、本発明の一実施例のクリップおよびクリップ取付体の構造は、他方の挟着片２の基部と挟着片支持部４の後端を結ぶ方向に延びる挟着片支持部の中心線Ｌ４が、他方の挟着片の開口部２ａの開口中心点Ｐ２ａと他方の挟着片を挟着した状態で挟着用軸体５の中心となる他方の挟着片の中心点Ｐ２を結ぶ直線Ｌ２に対して傾斜（θ１）し、且つ、他方の挟着片の中心点P２を通らないように、挟着片支持部４を設けているので、引張り方向の外力に対しても、他方の挟着片２の外れ、脱落が生じにくいものにもなっている。
【００１５】
したがって、本発明の一実施例のクリップおよびクリップ取付体の構造は、取付作業性がよく、引張り方向の外力および回転方向の外力によるクリップの外れ、脱落が生じにくく、長期にわたり取付後のクリップの保持性能に優れたクリップおよびクリップ取付体の構造を実現したものとなっている。
【産業上の利用可能性】
【００１６】
以上詳しく説明した通り、本発明によって、取付作業性がよく、引張り方向の外力および回転方向の外力によるクリップの外れ、脱落が生じにくく、長期にわたり取付後のクリップの保持性能に優れたクリップおよびクリップ取付体の構造を提供することができる。
【図面の簡単な説明】
【００１７】
【図１】本発明のクリップの保持構造の一実施形態を示した側面図（実施例１）
【図２】本発明のクリップの保持構造の一実施形態を示した下面図（実施例１）
【図３】本発明のクリップの保持構造の一実施形態を示したクリップ取付体の側方からの斜視図（実施例１）
【図４】本発明のクリップの保持構造の一実施形態を示したクリップ取付状態でのクリップ取付体の上方からの斜視図（実施例１）
【図５】本発明のクリップの保持構造の一実施形態を示した回転方向の外力が加わった時の側面図（実施例１）
【図６】従来のクリップ保持構造の一実施形態を示した側面図
【図７】従来のクリップ保持構造の一実施形態を示した下面図
【図８】従来のクリップ保持構造の一実施形態を示した引張り方向の外力が加わった時の側面図
【図９】従来のクリップ保持構造の一実施形態を示した引張り方向の外力が加わった時のクリップ取付体の側面図
【図１０】従来のクリップ保持構造の他の実施形態を示した側面図
【図１１】従来のクリップ保持構造の他の実施形態を示した下面図
【図１２】従来のクリップ保持構造の他の実施形態を示した引張り方向の外力が加わった時のクリップ取付体の側面図
【図１３】従来のクリップ保持構造の他の実施形態を示した回転方向の外力が加わった時の側面図
【符号の説明】
【００１８】
１    クリップ
２    他方の挟着片
２ａ  他方の挟着片の開口部
２ｂ  他方の上側挟着片
２ｃ  他方の下側挟着片
３    一方の挟着片
４    挟着片支持部
５    挟着用軸体
６    軸体支持部
７    円柱状部材
８    他方の部材
９    クリップ取付体
１０    突状プレート部
１０ａ１  上側突状プレート部
１０ａ２  下側突状プレート部
１１    他方の挟着片の溝部
１１ａ１  他方の挟着片の上側溝部の内方側端面
１１ａ２  他方の挟着片の下側溝部の内方側端面
【図１】
2006070952.tif 000003
【図２】
2006070952.tif 000004
【図３】
2006070952.tif 000005
【図４】
2006070952.tif 000006
【図５】
2006070952.tif 000007
【図６】
2006070952.tif 000008
【図７】
2006070952.tif 000009
【図８】
2006070952.tif 000010
【図９】
2006070952.tif 000011
【図１０】
2006070952.tif 000012
【図１１】
2006070952.tif 000013
【図１２】
2006070952.tif 000014
【図１３】
2006070952.tif 000015